(57)【要約】【課題】解体等工事の現場で簡便に使用できるアスベスト判定用キット、アスベスト判定用プレパラート及びアスベスト判定用組立体を提供することを目的とする。【解決手段】本発明のアスベスト判定用キットＫは、第１領域３１及び第２領域３２を有するシート状体３０を備え、第１領域３１は、第１開口３１ｈと、第１開口３１ｈを覆い光Ｌを通過させて直接偏光に変える第１偏光板１０と、を有し、第２領域３２は、第２開口３２ｈと、第２開口３２ｈを覆い光Ｌを通過させて直接偏光に変える第２偏光板２０と、を有し、シート状体３０は、第１領域３１と第２領域３２との間に、採取した繊維状体Ｆを固定したプレパラートＰを配置した状態で、第１偏光板１０と第２偏光板２０とが直交ニコルの状態となるように変形可能である。【選択図】          図１
2018119957.tif 000002
【特許請求の範囲】
【請求項１】
アスベスト判定用キットであって、
前記アスベスト判定用キットは、第１領域及び第２領域を有するシート状体を備え、
前記第１領域は、第１開口と、前記第１開口を覆い光を通過させて直接偏光に変える第１偏光板と、を有し、
前記第２領域は、第２開口と、前記第２開口を覆い光を通過させて直接偏光に変える第２偏光板と、を有し、
前記シート状体は、前記第１領域と前記第２領域との間に、採取した繊維状体を固定したプレパラートを配置した状態で、前記第１偏光板と前記第２偏光板とが直交ニコルの状態となるように変形可能である
ことを特徴とするアスベスト判定用キット。
【請求項２】
アスベスト判定用プレパラートであって、
スライドグラスと、カバーグラスと、を備え、
前記スライドグラスと前記カバーグラスとは、両者の間に配置された採取した繊維状体を包埋する透明な非晶性接着剤によって接着されており、
前記繊維状体は、前記スライドグラスと前記カバーグラスとが近づく方向に上下から押圧されて薄く広げられた状態となっている
ことを特徴とするアスベスト判定用プレパラート。
【請求項３】
請求項１に記載のアスベスト判定用キットと請求項２に記載のアスベスト判定用プレパラートとを備えるアスベスト判定用組立体。
【発明の詳細な説明】
【技術分野】
【０００１】
本発明は、建材等にアスベストが含有されているか否かを判定するアスベスト判定方法に用いるアスベスト判定用キット、アスベスト判定用プレパラート及びアスベスト判定用組立体に関するものである。
【背景技術】
【０００２】
アスベスト（石綿）を含有する建材によって建造された建築物等の解体によるアスベストの飛散防止対策の強化を目的として、平成２６年に大気汚染防止法が改正されて以来、解体等工事の発注者である建物等所有者は、受注者に対してアスベスト使用の有無について示す、もしくは受注者に事前調査等を義務付けるようになっている。
事前調査の方法は、設計図書による方法、診断士等による目視確認、専門機関による試料のアスベスト分析方法等があり、アスベスト分析方法には、ＩＳＯ法やＪＩＳ法を代表とする公定法がある。
また、公定法で使用するＸ線回折装置や、偏光顕微鏡・位相差顕微鏡・電子顕微鏡は精緻な測定が可能であるものの、高価かつ重量物である上に、取り扱いに高度な知識・技術が必要となり、解体等工事の現場で使用するには不向きである。
このため、従来から現場で使用するのに適するアスベスト判別方法がある。
例えば、特許文献１には、スライドグラスの視野に標準試料又は標準試料の映像を固定し、残余視野に測定しようとするサンプルを置いて、同一視野でそれらを比較し、アスベストか否かを判定する方法が記載されている（特許文献１参照）。
【先行技術文献】
【特許文献】
【０００３】
【特許文献１】特開２００６−２５０８４４号公報
【発明の概要】
【発明が解決しようとする課題】
【０００４】
しかしながら、特許文献１に記載された方法は、特殊なスライドグラスを使用するものであり、さらに、標準試料とサンプルとの比較により適切な判定をするためには特別な訓練を要するものである。
本発明は、上記事情に鑑みてなされたものであり、解体等工事の現場で簡便に使用できるアスベスト判定用キット、アスベスト判定用プレパラート及びアスベスト判定用組立体を提供することを目的とする。
【課題を解決するための手段】
【０００５】
上記目的を達成するために、以下の構成によって把握される。
（１）本発明のアスベスト判定用キットは、前記アスベスト判定用キットは、第１領域及び第２領域を有するシート状体を備え、前記第１領域は、第１開口と、前記第１開口を覆い光を通過させて直接偏光に変える第１偏光板と、を有し、前記第２領域は、第２開口と、前記第２開口を覆い光を通過させて直接偏光に変える第２偏光板と、を有し、前記シート状体は、前記第１領域と前記第２領域との間に、採取した繊維状体を固定したプレパラートを配置した状態で、前記第１偏光板と前記第２偏光板とが直交ニコルの状態となるように変形可能である。
（２）本発明のアスベスト判定用プレパラートは、スライドグラスと、カバーグラスと、を備え、前記スライドグラスと前記カバーグラスとは、両者の間に配置された採取した繊維状体を包埋する透明な非晶性接着剤によって接着されており、前記繊維状体は、前記スライドグラスと前記カバーグラスとが近づく方向に上下から押圧されて薄く広げられた状態となっている。
（３）本発明のアスベスト判定用組立体は、上記（１）のアスベスト判定用キットと上記（２）のアスベスト判定用プレパラートとを備える。
【発明の効果】
【０００６】
本発明によれば、解体等工事の現場で簡便に使用できるアスベスト判定用キット、アスベスト判定用プレパラート及びアスベスト判定用組立体を提供できる。
【図面の簡単な説明】
【０００７】
【図１】アスベスト判定方法を示す説明図である。
【図２】アスベスト判定用キットの作成状況を示す図であり、（ａ）は平らな状態のアスベスト判定用キットを示し、（ｂ）はプレパラートを載置した状態のアスベスト判定用キットを示し、（ｃ）はプレパラートを挟むようにして折り畳まれた状態のアスベスト判定用キットを示す。
【図３】繊維状体が非結晶質物質であった場合における視野内の像を示し、図３（ａ）から図３（ｈ）は、順に、プレパラートを４５°ずつ回転させたときのそれぞれの像を示す。
【図４】繊維状体が結晶質物質であった場合における視野内の像を示し、図４（ａ）から図４（ｈ）は、順に、プレパラートを４５°ずつ回転させたときのそれぞれの像を示す。
【発明を実施するための形態】
【０００８】
（実施形態）
以下、図面を参照して本発明を実施するための形態（以下、実施形態）について詳細に説明する。なお、実施形態の説明の全体を通して同じ要素には同じ符号を付している。
【０００９】
以下では、建築物の解体工事の事前調査の場面を想定し、建築物を構成する建材にアスベスト（石綿、例えば、クリソタイル）が含有されているか否かを判定するためのアスベスト判定方法の手順を、時系列的に説明する。
図１は、本発明のアスベスト判定方法を示す説明図であり、プレパラートＰ（アスベスト判定用プレパラート）及びアスベスト判定用キットＫの断面を示す。図２は、アスベスト判定用キットＫの作成状況を示す図であり、（ａ）は平らな状態のアスベスト判定用キットＫを示し、（ｂ）はプレパラートＰを載置した状態のアスベスト判定用キットＫを示し、（ｃ）はプレパラートＰを挟むようにして折り畳まれた状態のアスベスト判定用キットＫを示す。なお、図１で示された断面は、図２（ｃ）のＡ矢視断面図に対応する。
【００１０】
（１）まず、建築物を構成する建材から、ピンセット等で引き抜く等することにより、繊維状体Ｆを採取する。
次に、採取した繊維状体Ｆがアスベストか否かを判定するにあたり、図１に示すようなスライドグラス１とカバーグラス３との間に採取した繊維状体Ｆを固定したプレパラートＰを作成する（プレパラート作成ステップ）。
【００１１】
プレパラートＰの作成は、具体的には、スライドグラス１の上に透明な非晶性接着剤２を塗り、非晶性接着剤２に繊維状体Ｆを包埋し、繊維状体Ｆの上にカバーグラス３を載せた後、スライドグラス１とカバーグラス３とが近づく方向に、手指等で上下から押圧することにより行う。
【００１２】
つまり、プレパラートＰ（アスベスト判定用プレパラート）は、スライドグラス１と、カバーグラス３と、を備え、スライドグラス１とカバーグラス３とは、スライドグラス１とカバーグラス３とが近づく方向に上下から押圧された状態で、両者の間に配置された採取した繊維状体Ｆを包埋する透明な非晶性接着剤２によって接着されている。そして、繊維状体Ｆは、スライドグラス１とカバーグラス３とが近づく方向に上下から押圧されて薄く広げられた状態となる。
【００１３】
このように、結晶性（結晶質の性質）とは反対の性質である非晶性（非晶質の性質）を有する非晶性接着剤２を使用するので、非晶性接着剤２がアスベストと同じような光学的性質を示すことがなく、結晶性を有するアスベストの光学的性質を確実に観察できる。
非晶性接着剤２としては、スライドグラス１及びカバーグラス３に対して接着可能な、市場で入手しやすい一般的な接着剤を使用できる。
また、プレパラートＰの作成は、押圧する過程を含むので、極細繊維状鉱物の集合体（束）である繊維状体Ｆが、厚くて光を透過しづらいものであっても、ほぐれて薄く広げられ、繊維のアスベティスフォームと呼ばれる形状特性をより出現させることができ、判別の精度が向上する。さらに、プレパラートＰの作成は、押圧する過程を含むので、光を透過しづらいクロシドライト（青石綿）やアモサイト（茶石綿）のような有色鉱物であっても、繊維の形状特性をより出現させることができ、判別の精度が向上する。なお、非晶性接着剤２の上に繊維状体Ｆを載せた後、その上にカバーグラス３を載せることにより、非晶性接着剤２に繊維状体Ｆを包埋してもよい。
【００１４】
（２）続いて、プレパラートＰの上部に、光Ｌを通過させて直接偏光に変える第１偏光板１０を配置し、プレパラートＰの下部に、第１偏光板１０とは直交ニコルの状態で、光Ｌを通過させて直接偏光に変える第２偏光板２０を配置する（偏光板配置ステップ）。なお、直交ニコルとは、クロスニコル又は十字ニコルとも呼ばれるものであり、光Ｌを直線偏光に変える第一の偏光素子と光Ｌを直線偏光に変える第二の偏光素子を、それぞれの直線偏光が透過する方向が直交するように配置したものである。なお、光Ｌは、自然光であってよく、室内灯や携帯用光源等であってもよい。
【００１５】
詳細には、アスベスト判定用キットＫは、第１領域３１及び第２領域３２を有するシート状体３０を備える。
【００１６】
シート状体３０は、例えば紙等の材料から形成される。また、シート状体３０は、中央に、第１領域３１と第２領域３２とを連結する連結部３３を備える。連結部３３は、第１領域３１及び第２領域３２の一方を他方に対して揺動できるように変形可能である。第１領域３１及び第２領域３２と一体となった折り目であってよく、第１領域３１及び第２領域３２とは別体であってもよい。連結部３３における折り目は、第１領域３１及び第２領域３２よりも薄いので、変形しやすくなっている。連結部３３における折り目の形状は、弯曲状であっても鋭角状であってもよい。
【００１７】
第１領域３１は、第１開口３１ｈと、第１開口３１ｈを覆い光Ｌを通過させて直接偏光に変える第１偏光板１０と、を有する。第１領域３１に対して第１偏光板１０が取り付けられる位置は、第１領域３１の表側であっても裏側であってもよい。
第２領域３２は、第２開口３２ｈと、第２開口３２ｈを覆い光Ｌを通過させて直接偏光に変える第２偏光板２０と、を有する。第２領域３２に対して第２偏光板２０が取り付けられる位置は、第２領域３２の表側であっても裏側であってもよい。
【００１８】
シート状体３０は、図２（ａ）に示すような状態から、図２（ｂ）に示すような状態を経て、図２（ｃ）に示すような、第１領域３１と第２領域３２との間に、採取した繊維状体Ｆを固定したプレパラートＰを配置した状態で、第１偏光板１０と第２偏光板２０とが直交ニコルの状態となるように変形可能である。
【００１９】
詳細には、図２（ａ）又は図２（ｂ）に示すように、まず、プレパラートＰを載せやすくするため、アスベスト判定用キットＫの第１領域３１又は第２領域３２のいずれかを平ら（又は水平）な状態にする。次に、図２（ｂ）に示すように、繊維状体Ｆが固定されたプレパラートＰを第２領域３２の上に載せる。この際、第２開口３２ｈの内側に繊維状体Ｆが位置するようにプレパラートＰと第２領域３２とを重ねる。続いて、図２（ｃ）に示すように、第１領域３１と第２領域３２とが重なるように折り畳む。すると、第１領域３１と第２領域３２とを連結する連結部３３が、第１領域３１と第２領域３２とを折り畳んだ際に第１開口３１ｈと第２開口３２ｈとが重なるような位置に設けられているため、第１開口３１ｈの内側に繊維状体Ｆが位置するようにプレパラートＰと第１領域３１とが重なる。
なお、プレパラートＰ（アスベスト判定用プレパラート）とアスベスト判定用キットＫとを、接着剤やクリップ等の適宜の手段で互いに固定し、アスベスト判定用組立体としてもよい。これにより、標本である繊維状体Ｆが固定されたプレパラートＰをそのまま保存でき、さらに、アスベスト判定用キットＫを使用して標本である繊維状体Ｆを適時に観察できる。よって、標本である繊維状体Ｆを繰り返して何度も観察できるので、再現性が高く、建材等のアスベスト含有調査結果とともに確実な証拠として添付できる。
【００２０】
このように、アスベスト判定用キットＫを利用して、プレパラートＰの上部及び下部に、第１偏光板１０及び第２偏光板２０をそれぞれ配置する。
【００２１】
（３）第１偏光板１０の上部における繊維状体Ｆにピントが合う位置に拡大レンズ４０を配置する（拡大レンズ配置ステップ）。
具体的には、第１偏光板１０の上部における繊維状体Ｆにピントが合う位置に、実体顕微鏡や拡大鏡（ルーペ）等に設けられた拡大レンズ４０を配置する。言い換えると、実体顕微鏡や拡大鏡（ルーペ）等に設けられた拡大レンズ４０の下部に、第１偏光板１０が上で第２偏光板２０が下となり、拡大レンズ４０のピントが繊維状体Ｆに合うようにして、アスベスト判定用キットＫを配置する。なお、実体顕微鏡や拡大鏡は、手持ちタイプ、卓上タイプ、据え付けタイプ、フレネルレンズ等であってよい。
なお、第１偏光板１０は、シート状体３０の第１領域３１に固定されてよく、シート状体３０の第１領域３１に固定せずに、拡大レンズ４０に対応する、例えば、実体顕微鏡の対物レンズに直接装着されてもよい。
拡大レンズ４０は、例えば、フレネルレンズとして、第１開口３１ｈを覆い第１偏光板１０と重なった状態でシート状体３０の第１領域３１に固定されてもよい。
【００２２】
（４）第２偏光板２０の下部から第１偏光板１０の上部に向けて光Ｌを透過する（光透過ステップ）。なお、図１においては、説明の都合上、光Ｌを透過する方向が下から上の向きで示されているが、アスベスト判定用キットＫを手指等で縦の姿勢に保持した状態で、光Ｌを透過する方向が、第２偏光板２０から第１偏光板１０に向かう方向である水平方向になるように、アスベスト判定用キットＫの向きを変えてもよい。例えば、室内で使用する場合であれば、アスベスト判定用キットＫの第１領域３１又は第２領域３２のいずれかの面を窓の方向に向け、窓からの光Ｌ（自然光）を透かして窓とは反対側から繊維状体Ｆを拡大レンズ４０を通して見るようにする。なお、光Ｌは、自然光であってよく、室内灯や携帯用光源等であってもよい。
なお、詳細は後述するが、像Ｚの干渉色を観察するため、プレパラートＰを上下方向の軸を中心に回転させてもよい（回転ステップ）。この際、プレパラートＰを第１偏光板１０及び第２偏光板２０に対して相対的に回転させる。プレパラートＰの回転は、プレパラートＰを固定したアスベスト判定用キットＫを回転させることにより行ってもよい。
【００２３】
（５）拡大レンズ４０の上部から繊維状体Ｆの像Ｚを観察する（観察ステップ）。
像Ｚを観察すると、繊維状体Ｆがアスベストのような結晶質物質であるか否かによって、特徴の異なる像Ｚが観察できる。
図３は、繊維状体Ｆが非結晶質物質（例えば、ガラス繊維）であった場合における視野Ｓ内の像Ｚを示す。図３（ａ）から図３（ｈ）は、順に、プレパラートＰを４５°ずつ回転させたときのそれぞれの像Ｚを示す。
図４は、繊維状体Ｆが結晶質物質（例えば、クリソタイル等のアスベスト）であった場合における視野Ｓ内の像Ｚを示す。図４（ａ）から図４（ｈ）は、順に、プレパラートＰを４５°ずつ回転させたときのそれぞれの像Ｚを示す。
【００２４】
図３（ａ）に示すように、繊維状体Ｆが光学的等方体である非結晶質物質であった場合において、像Ｚは、暗い視野Ｓ内において、光らずに視野Ｓの暗さより更に暗黒な存在となり、視野Ｓの暗さと像Ｚの暗さとのコントラスト（明暗等の差）を視認できる。なお、視野Ｓの暗さ（明るさ、明度）は、第１領域３１と第２領域３２（第１偏光板１０と第２偏光板２０）との隙間を調節することによって増減できる。
【００２５】
繊維状体Ｆが非結晶質物質であった場合、図３（ｂ）から図３（ｈ）のようにプレパラートＰの回転とともに像Ｚを回転させると、いずれの角度であっても、図３（ａ）の像Ｚと同等の暗さの像Ｚが視認できる。
【００２６】
これに対して、図４（ａ）に示すように、繊維状体Ｆが光学的異方体である結晶質物質（例えば、クリソタイル等のアスベスト）であった場合において、像Ｚは、暗い視野Ｓ内において、干渉色を伴って視野Ｓの暗さより明るく光った存在となり、干渉色及び視野Ｓの暗さと像Ｚの明るさとのコントラスト（明暗等の差）を視認できる。
【００２７】
繊維状体Ｆが結晶質物質であった場合、図４（ａ）から図４（ｈ）のようにプレパラートＰの回転とともに像Ｚを４５°ずつ回転させると、結晶質物質を通過する光の複屈折によって、図４（ｂ）の像Ｚは干渉色を伴って図４（ａ）の像Ｚと比べて明るくなり、図４（ｃ）の像Ｚは干渉色を伴って図４（ｂ）の像Ｚと比べて暗くなり、図４（ｄ）の像Ｚは干渉色を伴って図４（ｃ）の像Ｚと比べて明るくなり、図４（ｅ）の像Ｚは干渉色を伴って図４（ｄ）の像Ｚと比べて暗くなり、図４（ｆ）の像Ｚは干渉色を伴って図４（ｅ）の像Ｚと比べて明るくなり、図４（ｇ）の像Ｚは干渉色を伴って図４（ｆ）の像Ｚと比べて暗くなり、図４（ｈ）の像Ｚは干渉色を伴って図４（ｇ）の像Ｚと比べて明るくなる。
このように、繊維状体Ｆが結晶質物質であった場合、図４（ａ）から図４（ｈ）のようにプレパラートＰの回転とともに像Ｚを１回転させると、干渉色を伴って、明暗が変化し、４回の消光が視認できる。
実際には、建材等から採取した繊維状体Ｆは、構成する繊維の方向や形状が不揃いな繊維束であり、先端が毛羽立っている状態の場合が多い。従って、プレパラートＰの作成時における押圧等により繊維状体Ｆの不揃いな繊維束が更に崩れ、１片の繊維状体Ｆを１枚のプレパラートＰに固定したとしても、様々な方向を示す複数の繊維が観察できる。よって、実際には、プレパラートＰを一周回転させることなく、プレパラートＰを４５度から９０度程度の範囲で回転させるだけで、消光と非消光（明るさ又は干渉色）とを１つの視野内で充分に確認できるので、次の判定ステップにおいて判定がしやすい。
【００２８】
（６）そして、像Ｚに、明るさ又は干渉色が視認されたことをもって繊維状体Ｆがアスベストであると判定する（判定ステップ）。なお、先述の押圧する過程を含むプレパラート作成ステップにおいて、繊維の形状特性がより出現するようになっているので、判別しやすくなっている。
詳細には、図３（ａ）から図３（ｈ）に示すように、像Ｚが暗黒であれば、繊維状体Ｆが非結晶質物質（例えば、ガラス繊維）であると判定でき、アスベストではないと判定でき、反対に、像Ｚが干渉色を伴っているか、又は、明るく光っていれば、繊維状体Ｆが結晶質物質であり、アスベストである可能性が高いと判定できる。
【００２９】
さらに、先述の回転ステップによって、像Ｚに明るさの変化や消光が視認できなければ、繊維状体Ｆが非結晶質物質（例えば、ガラス繊維）であると判定でき、反対に、像Ｚに明暗の変化や消光が視認できれば、繊維状体Ｆが結晶質物質であり、アスベストである可能性が高いと判定できる。
なお、上記判定ステップにおいては、像Ｚに、明るさ又は干渉色が視認できたことをもって繊維状体Ｆがアスベストであると判定したが、像Ｚに、明るさが視認できたことをもって繊維状体Ｆがアスベストであると判定してよく、像Ｚに、明るさ、干渉色又は消光のいずれかが視認できたことをもって繊維状体Ｆがアスベストであると判定してもよい。
【００３０】
以上、本発明の好ましい実施形態について詳述したが、本発明に係るアスベスト判定用キットＫ、アスベスト判定用プレパラート及びアスベスト判定用組立体は上述した実施形態に限定されるものではなく、特許請求の範囲に記載された本発明の要旨の範囲内において、種々の変形、変化が可能である。
【００３１】
例えば、上記実施形態においては、アスベスト判定方法に用いるアスベスト判定用キットＫについて説明したが、これに限らず、アスベスト判定用キットＫは、例えば、微細な粒状・粉状物質等の、アスベスト以外の結晶質物質の判定にも適用可能である。
【００３２】
例えば、本発明のアスベスト判定用キットＫを実体顕微鏡と組み合わせて使用して本発明のアスベスト判定方法を実施する場合において、拡大レンズ４０に対応する実体顕微鏡の対物レンズとアスベスト判定用キットＫが備える第１偏光板１０との間に光Ｌが横から入射する量を調節するため、第１開口３１ｈから対物レンズに向けて透過する光Ｌの光路を囲うように遮光体（不図示）を配置してもよい。これにより、像Ｚを観察する際の視野Ｓを暗くすることができ、像Ｚの明るさ又は干渉色を視認しやすくできる。
【００３３】
本発明のアスベスト判定方法によれば、スライドグラス１とカバーグラス３との間に採取した繊維状体Ｆを固定したプレパラートＰを作成するプレパラート作成ステップと、プレパラートＰの上部に、光Ｌを通過させて直接偏光に変える第１偏光板１０を配置し、プレパラートＰの下部に、第１偏光板１０とは直交ニコルの状態で、光を通過させて直接偏光に変える第２偏光板２０を配置する偏光板配置ステップと、第１偏光板１０の上部に拡大レンズ４０を配置する拡大レンズ配置ステップと、第２偏光板２０の下部から第１偏光板１０の上部に向けて光Ｌを透過する光透過ステップと、拡大レンズ４０の上部から繊維状体Ｆの像Ｚを観察する観察ステップと、像Ｚに、明るさ又は干渉色が視認されたことをもって繊維状体Ｆがアスベストであると判定する判定ステップと、を含むので、解体等工事の現場で入手しやすい一般的で簡易な実体顕微鏡やルーペに備わる拡大レンズ４０を通じて、特別な光源を用いずに光Ｌを用いて繊維状体Ｆを透過観察するだけで、アスベスト判定の結果を得ることができる。
そして、アスベスト調査のために標本を偏光顕微鏡等の高価な設備を備える現場から離れた場所にある検査場に持ち込む必要がなく、安全、簡便、低コストで、アスベスト判定の結果を迅速に得られる。また、アスベスト含有建築物及び建材の調査技術向上に寄与し、社会全体のアスベストリスク低減に繋げることができる。そして、身近な環境中にアスベスト含有建築物及び建材の存在を知らしめることができ、リスクコミュニケーション促進の一助となる。
【００３４】
本発明のアスベスト判定方法によれば、プレパラートＰを上下方向の軸を中心に回転させる回転ステップを更に含み、判定ステップにおいて、像Ｚに、消光が視認されたことをもって繊維状体Ｆがアスベストであると判定するので、アスベスト判定の信頼性を高められる。
【００３５】
本発明のアスベスト判定方法によれば、プレパラート作成ステップにおいて、スライドグラス１の上に透明な非晶性接着剤２を塗り、非晶性接着剤２に繊維状体Ｆを包埋し、繊維状体Ｆの上にカバーグラス３を載せた後、スライドグラス１とカバーグラス３とが近づく方向に上下から押圧することによりプレパラートＰを作成するので、極細繊維状鉱物の集合体（束）である繊維状体Ｆがほぐれて広がって繊維の形状特性をより出現させることができ、観察対象となる繊維状体Ｆの薄片作成が簡易であり、形状特性の観察がしやすくなり、判別の精度（判定のしやすさ）が向上する。特に、繊維状体Ｆがクロシドライト（青石綿）やアモサイト（茶石綿）のような有色鉱物の場合、スライドグラス１上の鉱物試料である繊維状体Ｆが相当に薄くないと光Ｌが透過しづらいが、プレパラート作成ステップで、できるだけ少ない繊維サンプルである繊維状体Ｆを非晶性接着剤２で包み込み、束状の繊維である繊維状体Ｆが押し広げられるように上下から指で押圧することで、鉱物である繊維状体Ｆの厚みを薄くでき、顕微鏡観察に耐えうる光Ｌを得やすくなる。
また、本発明のアスベスト判定方法によれば、プレパラート作成ステップによって、磨り潰す等の前処理作業を必要としないので、プレパラートＰの作成が簡便であると同時に、作業者がアスベストを吸入曝露する機会を減らすことができて安全である。
【００３６】
本発明のアスベスト判定方法によれば、偏光板配置ステップにおいて、第１偏光板１０と第２偏光板２０とを有するシート状体３０を備えるとともに、第１偏光板１０と第２偏光板２０とが直交ニコルの状態となったアスベスト判定用キットＫを配置し、アスベスト判定用キットＫによってプレパラートＰを支持するので、アスベスト判定用キットＫとプレパラートＰとを一体として扱うことができ、実体顕微鏡やルーペ等と組み合わせて使用しやすく、繊維状体Ｆの観察がしやすく、運搬や保存に適する。
【００３７】
本発明のアスベスト判定用キットＫによれば、第１領域３１及び第２領域３２を有するシート状体３０を備え、第１領域３１は、第１開口３１ｈと、第１開口３１ｈを覆い光Ｌを通過させて直接偏光に変える第１偏光板１０と、を有し、第２領域３２は、第２開口３２ｈと、第２開口３２ｈを覆い光Ｌを通過させて直接偏光に変える第２偏光板２０と、を有し、シート状体３０は、第１領域３１と第２領域３２との間に、採取した繊維状体Ｆを固定したプレパラートＰを配置した状態で、第１偏光板１０と第２偏光板２０とが直交ニコルの状態となるように変形可能であるので、実体顕微鏡やルーペ等と組み合わせて使用しやすく、繊維状体Ｆの観察がしやすく、運搬や保存に適する。
【００３８】
本発明のプレパラートＰによれば、スライドグラス１と、カバーグラス３と、を備え、スライドグラス１とカバーグラス３とは、両者の間に配置された採取した繊維状体Ｆを包埋する透明な非晶性接着剤２によって接着されているので、標本である繊維状体Ｆが固定されたプレパラートＰをそのまま保存できる。よって、繰り返して何度も観察できるので、再現性が高く、建材等のアスベスト含有調査結果とともに確実な証拠として添付できる。
【００３９】
本発明のアスベスト判定用プレパラートによれば、スライドグラス１とカバーグラス３とは、両者の間に配置された採取した繊維状体を包埋する透明な非晶性接着剤によって接着されており、繊維状体Ｆは、スライドグラス１とカバーグラス３とが近づく方向に上下から押圧されて薄く広げられた状態となっているので、鉱物である繊維状体Ｆの厚みを薄くでき、顕微鏡観察に耐えうる光Ｌを得やすくなる。
【符号の説明】
【００４０】
１      スライドグラス
２      非晶性接着剤
３      カバーグラス
１０    第１偏光板
２０    第２偏光板
３０    シート状体
３１    第１領域
３１ｈ  第１開口
３２    第２領域
３２ｈ  第２開口
３３    連結部
４０    拡大レンズ
Ｆ      繊維状体
Ｋ      アスベスト判定用キット
Ｌ      光
Ｐ      プレパラート（アスベスト判定用プレパラート）
Ｓ      視野
Ｚ      像
【図１】
2018119957.tif 000003
【図２】
2018119957.tif 000004
【図３】
2018119957.tif 000005
【図４】
2018119957.tif 000006